(57)【要約】【課題】２種類以上の波長の光源を有する再生装置で、使用する波長と再生する情報記録媒体との食い違いによりフォーカスエラー信号にフェイク信号が発生して、フォーカスサーボをかけようとすると対物レンズが情報記録媒体に衝突して傷付けてしまうことがある。【解決手段】再生しようとする情報記録媒体の種類が不明な時には、第１の波長の光ビーム光源４を用いてフォーカスサーボを引き込む時には、対物レンズ３を情報記録媒体１から遠ざける第２のフォーカスサーチ手段１１によるサーチ中にジャストフォーカス点近傍検出手段８の出力によりフォーカスサーボ動作へ切り替える第２のフォーカス引き込み手段１５を用いてフォーカスサーボを引き込む。【選択図】図１
2005166242.tif 000002
【特許請求の範囲】
【請求項１】
少なくとも第１と第２の２種類以上の情報記録媒体から情報を読み取るために、前記情報記録媒体の種類にそれぞれ対応した少なくとも第１と第２の２種類以上の波長の光ビーム光源と、それぞれの前記光ビーム光源から発した光ビームを集光して前記情報記録媒体に照射する対物レンズと、前記対物レンズを前記光ビームの光軸方向に駆動するフォーカスアクチュエータと、を有する光ピックアップと、
前記光ビームの焦点が前記情報記録媒体の情報記録面に合致するジャストフォーカス点に位置するように、前記対物レンズの位置を制御するフォーカスサーボ手段と、
前記対物レンズを前記情報記録媒体に近づける第１のフォーカスサーチ手段と、
前記対物レンズを前記情報記録媒体から遠ざける第２のフォーカスサーチ手段と、
前記第１のフォーカスサーチ中に、前記第１のフォーカスサーチ動作からフォーカスサーボ動作へ切り替える第１のフォーカス引き込み手段と、
前記第２のフォーカスサーチ中に、前記第２のフォーカスサーチ動作からフォーカスサーボ動作へ切り替える第２のフォーカス引き込み手段と、
を備え、
前記第１の波長の光ビーム光源を用いてフォーカスサーボを引き込む時には、前記第２のフォーカス引き込み手段を用いてフォーカスサーボを引き込ませることを特徴とする光学式情報再生装置。
【請求項２】
前記第２の波長の光ビーム光源を用いてフォーカスサーボを引き込む時には、前記第１のフォーカス引き込み手段を用いてフォーカスサーボを引き込ませることを特徴とする請求項１記載の光学式情報再生装置。
【請求項３】
情報を読み取ろうとする情報記録媒体の種類が前記第１の種類か前記第２の種類かが明確な時は、前記情報記録媒体の種類にそれぞれ対応した第１もしくは第２の波長の光ビーム光源を使用して、前記第１もしくは第２のフォーカス引き込み手段を用いてフォーカスサーボを引き込ませることを特徴とする請求項１または請求項２記載の光学式情報再生装置。
【請求項４】
前記第１の光ビーム光源の波長は前記第２の光ビーム光源の波長よりも短いことを特徴とする請求項１または請求項２記載の光学式情報再生装置。
【請求項５】
前記第１の種類の情報記録媒体はいわゆるＤＶＤ（デジタルバーサタイルディスク）であり、それに対応する前記第１の波長の光ビーム光源はいわゆるＤＶＤ（デジタルバーサタイルディスク）を再生するための波長約６５０ナノメートルの光ビーム光源であることを特徴とする請求項１または請求項２記載の光学式情報再生装置。
【請求項６】
前記第２の種類の情報記録媒体はいわゆるＣＤ（コンパクトディスク）であり、それに対応する前記第２の波長の光ビーム光源は、いわゆるＣＤ（コンパクトディスク）を再生するための波長約７８０ナノメートルの光ビーム光源であることを特徴とする請求項１または請求項２記載の光学式情報再生装置。
【請求項７】
前記第１のフォーカスサーチから前記第２のフォーカスサーチへの切り替えは、前記第１のフォーカスサーチ中にジャストフォーカス点近傍であることを検出後、前記フォーカスアクチュエータの駆動電圧が所定の値だけ増加して、前記対物レンズが前記ジャストフォーカス点近傍より所定の距離だけ前記情報記録媒体に近づいてから、前記第２のフォーカスサーチへ切り替えることを特徴とする請求項１記載の光学式情報再生装置。
【請求項８】
少なくとも第１と第２の２種類以上の情報記録媒体から情報を読み取るために、前記情報記録媒体の種類にそれぞれ対応した少なくとも第１と第２の２種類以上の波長のそれぞれの光ビーム光源から発した光ビームを対物レンズによって集光して前記情報記録媒体に照射し、前記対物レンズを前記光ビームの光軸方向に駆動する光ピックアップ手段と、
前記光ビームの焦点が前記情報記録媒体の情報記録面に合致するジャストフォーカス点に位置するように、前記対物レンズの位置を制御するフォーカスサーボ手段と、
前記対物レンズを前記情報記録媒体に近づける第１のフォーカスサーチ手段と、
前記対物レンズを前記情報記録媒体から遠ざける第２のフォーカスサーチ手段と、
前記第１のフォーカスサーチ中に、前記第１のフォーカスサーチ動作からフォーカスサーボ動作へ切り替える第１のフォーカス引き込み手段と、
前記第２のフォーカスサーチ中に、前記第２のフォーカスサーチ動作からフォーカスサーボ動作へ切り替える第２のフォーカス引き込み手段と、
を有し、
前記第１の波長の光ビーム光源を用いてフォーカスサーボを引き込む時には、前記第２のフォーカス引き込み手段を用いてフォーカスサーボを引き込ませることを特徴とする光学式情報再生方法。
【請求項９】
前記第２の波長の光ビーム光源を用いてフォーカスサーボを引き込むときは、前記第１のフォーカスオン信号を用いて引き込むことを特徴とする請求項８記載の光学式情報再生方法。
【請求項１０】
情報を読み取ろうとする情報記録媒体の種類が明確であるときは、前記情報記録媒体の種類に対応する波長を有する光ビームを用いて、前記第１または第２のフォーカスオン信号によりフォーカスサーボが引き込まれることを特徴とする請求項８または請求項９記載の光学式情報再生方法。
【請求項１１】
前記第１の波長は、前記第２の波長よりも短いことを特徴とする請求項８または請求項９記載の光学式情報再生方法。
【請求項１２】
前記第１の情報記録媒体は、ＤＶＤ（デジタルバーサタイルディスク）であり、前記第１の波長の光ビーム光源は、前記ＤＶＤを再生するための約６５０ナノメートルの波長を有することを特徴とする請求項８または請求項９記載の光学式情報再生方法。
【請求項１３】
前記第２の情報記録媒体は、ＣＤ（コンパクトディスク）であり、前記第２の波長の光ビーム光源は、前記ＣＤを再生するための約７８０ナノメートルの波長を有することを特徴とする請求項８または請求項９記載の光学式情報再生方法。
【発明の詳細な説明】
【技術分野】
【０００１】
本発明は、少なくとも第１と第２の２種類以上の情報記録媒体から情報を読み取るために、前記情報記録媒体の種類にそれぞれ対応した少なくとも第１と第２の２種類以上の波長の光ビーム光源を有する光ピックアップを備えた光学式情報再生装置および再生方法に関するものである。
【背景技術】
【０００２】
光学式情報再生装置では、光ビーム光源から発した光ビームを前記情報記録媒体上に集光して照射し、その反射光から情報を読み取る。そのためにフォーカスサーボ装置を設けて、前記反射光から抽出したフォーカスエラー信号に基づいてフォーカスサーボをかけて、光ビームの焦点を前記情報記録媒体上の情報面に追従させる。また、フォーカス引き込み装置を設けてフォーカスサーチをさせてフォーカスサーボを起動させる。
【０００３】
近年、情報記録媒体が多種多様化し、コンパクトディスク（ＣＤ）や、デジタルバーサタイルディスク（ＤＶＤ）、ブルーレイディスク（ＢＤ）などが実用化される中で、光学式情報再生装置には各種の情報記録媒体を再生する機能が要求されている。
【０００４】
例えば、１台の光ピックアップに、例えば、ＣＤ用とＤＶＤ用の２種類の波長の光ビームを提供するレーザーダイオードを搭載し、再生しようとする情報記録媒体の種類に合わせて使用するレーザーダイオードを選択しながら、ＣＤとＤＶＤ両者を再生する光ピックアップが実用化されている。しかしながら、情報再生装置としては情報記録媒体を装着された直後はその情報記録媒体の種類が不明であり、ＤＶＤ用の光ビームの波長でＣＤを再生しようとしたり、ＣＤ用の光ビームの波長でＤＶＤを再生しようとしたりする、ちぐはぐな場合が起こりうる。また、再生をする前にフォーカスサーチをして、その時に得られた反射光の状態から装着された情報記録媒体の種類を推定することも考えられるが、装置の誤差や情報記録媒体の偏差、汚れ、さらには推定時間の制約等を考慮すると前記情報記録媒体の種類の確定は不可能であり、前述のちぐはぐな場合は、完全には避けられない。そして、使用する波長と情報記録媒体の種類が一致していない時には、フォーカスサーチをしても理想的な波形のフォーカスエラー信号が得られないために、フォーカス引き込みに失敗することが頻繁に発生する。
【０００５】
ここでさらに大きな課題は、ＣＤとＤＶＤという、ディスクの表面から情報記録面までの厚みの異なる情報記録媒体をひとつの光ピックアップで再生するために、光ピックアップの対物レンズの機械的な可動範囲と、情報記録媒体の反りや面振れの許容範囲を考えると両者が衝突したり接触したりする可能性があり、フォーカス引き込みを失敗すると情報記録媒体を傷付けてしまったり、対物レンズを損傷したりすることがあるということである。
【０００６】
この課題を回避する方法として、常に対物レンズを情報記録媒体から遠ざける方向に駆動するフォーカスサーチ中にのみ、フォーカス引き込み動作を行うという方法が知られている（例えば、特許文献１参照。）。この従来例について説明する。
【０００７】
図７は従来の光学式情報再生装置のブロック構成図である。図７において、１は情報記録媒体、２は光ピックアップ、３は対物レンズ、６はフォーカスアクチュエータ、７はフォーカスエラー信号生成手段、９はフォーカスサーボ手段、１６は制御部、１７は光ビーム光源、１８はフォーカスサーチ手段、１９はサーボ切り替えスイッチ、２０はフォーカス引き込み手段、２１はフォーカスゼロクロス検出手段である。
【０００８】
以上のように構成された従来の光学式情報再生装置について、以下その動作について説明する。
【０００９】
まず光ピックアップ２は、対物レンズ３とフォーカスアクチュエータ６と光ビーム光源１７とを有し、対物レンズ３を通して、光ビーム光源１７から発した光ビームを情報記録媒体１に集光して照射すると共に、その反射光を検出する。そしてフォーカスエラー信号生成手段７は、前記反射光からフォーカスエラー信号を抽出してフォーカスサーボ手段９に供給する。前記フォーカスサーボ手段９は前記フォーカスエラー信号からフォーカスサーボ信号を発生する。
【００１０】
フォーカスサーチ手段１８は前記対物レンズ３を前記情報記録媒体１に近づけたり遠ざけたりさせるフォーカスサーチ信号を発生する。サーボ切り替えスイッチ１９は、前記フォーカスサーチ信号と前記フォーカスサーボ信号を、フォーカス引き込み手段２０の指令に応じて選択して前記フォーカスアクチュエータ６に供給し、前記フォーカスアクチュエータ６は引加された駆動電圧に応じて前記対物レンズ３を駆動して光ビームの焦点を光軸方向に移動させる。
【００１１】
光学式情報再生装置に前記情報記録媒体１が装着されると、前記制御部１６はまず前記フォーカスサーチ手段１８にフォーカスサーチ信号を発生させ、前記サーボ切り替えスイッチ１９を介して前記フォーカスアクチュエータ６に引加していわゆるフォーカスサーチを行う。前記フォーカスゼロクロス検出手段２１は、前記フォーカスサーチ中に得られた前記フォーカスエラー信号がゼロクロスしたことを検出してフォーカスゼロクロス信号を前記制御部１６に伝える。この時、前記制御部１６は、光ビームの焦点が前記情報記録媒体１の情報面上に到達したと判断して、前記フォーカス引き込み手段２０に到達指令を出し、前記フォーカス引き込み手段２０は前記サーボ切り替えスイッチ１９を切り替えて、前記フォーカスアクチュエータ６に引加する信号を前記フォーカスサーチ信号から前記フォーカスサーボ信号に切り替えてフォーカス引き込みを行い、フォーカスサーボを起動させる。ところが、図８に示すように、前記光ピックアップ２の種類と前記情報記録媒体１の種類の組み合わせによっては、前記フォーカスエラー信号がジャストフォーカス点以外にもゼロクロスするフェイク信号が発生する場合があり、このフェイク信号に応じてフォーカス引き込みを行うと、フォーカスサーボの起動を失敗するばかりではなく、前記情報記録媒体１を傷付けてしまったり、対物レンズを損傷したりすることがある。そこで、前記フォーカス引き込み動作を行う時の前記フォーカスサーチの方向を、前記フェイク信号の出ない方向、すなわち図８に示す場合は、前記光ビームの焦点位置が前記情報記録媒体１に近い状態から遠ざかる方向にフォーカスサーチしている時にのみ前記フォーカス引き込みをさせることにより、フォーカスサーボの起動を安定に行い、前記情報記録媒体１を傷付けたり、対物レンズを損傷したりすることを回避する。
【００１２】
図９を用いて、この場合の前記フォーカス引き込み動作の処理手順を説明する。図９において、光ビームの焦点位置は前記フォーカスアクチュエータ６のフォーカスサーチ動作に応じて時間と共に光軸方向に移動している。その時検出される前記フォーカスエラー信号は図示するようになる。まず対物レンズ３を前記情報記録媒体１から遠ざけて、前記光ビームの焦点を前記情報記録媒体１の情報面から遠ざける。次に、前記フォーカスサーチ方向を反転し、前記光ビームの焦点が前記情報記録媒体１の情報面に近づく方向に駆動する。この時前記フォーカスゼロクロス検出手段２１の出力により、光ビームの焦点が、ジャストフォーカス点かフェイク信号かは不明であるが、フォーカスゼロクロスの近傍を超えたことが検出できる。その後さらに所定の時間（ΔＴ）だけ前記対物レンズ３が前記情報記録媒体１に近づく方向に駆動する。その後、前記フォーカスアクチュエータ６の前記フォーカスサーチ方向を反転して、今度は前記対物レンズ３が前記情報記録媒体１から遠ざかる方向に駆動する。この方向に前記フォーカスサーチを行う時に得られる前記フォーカスエラー信号には、前記ジャストフォーカス点に到達する直前に前記フェイク信号が発生しないので、前記フォーカスゼロクロス検出手段２１の出力であるフォーカスゼロクロス検出信号に応じて前記フォーカス引き込みを行えば、安定にフォーカスサーボが起動できる。
【特許文献１】特開２００１−２０２６３２号公報（第７頁、図３）
【発明の開示】
【発明が解決しようとする課題】
【００１３】
しかし、このような光学式情報再生装置においては、情報記録媒体の種類や光ビーム光源の波長によらず、常に対物レンズを情報記録媒体から遠ざけるフォーカスサーチ中にフォーカス引き込み動作を行うために、次のような課題が新たに発生する。
【００１４】
まず第１に、フェイク信号のない理想的なフォーカスエラー信号を得られる場合や図８に示したようなフォーカスエラー信号を得られる場合は問題ないが、前記情報記録媒体１の種類や前記光ビーム光源の波長の種類の組み合わせによって、前述のフェイク信号が前記ジャストフォーカス点より前記対物レンズ３の位置が前記情報記録媒体１に近い場所で発生する場合があり、この場合にはフォーカスサーボの起動を失敗するばかりではなく、前記情報記録媒体１を傷付けてしまったり、対物レンズを損傷したりすることも発生してしまうという課題がある。これは光学式情報再生装置としては情報記録媒体を装着された直後はその情報記録媒体の種類が不明であるために、ＤＶＤ用の光ビームの波長でＣＤを再生しようとしたり、ＣＤ用の光ビームの波長でＤＶＤを再生しようとしたりするような、ちぐはぐな場合に起こりやすい。
【００１５】
具体的な例を挙げると、光ピックアップがＤＶＤ系／ＣＤ系の情報記録媒体を各々再生するための波長約６５０ナノメートル／約７８０ナノメートルの２種類の光ビーム光源を有する場合に、ＤＶＤを再生するための光ビームが照射されたＤＶＤディスクや、ＣＤを再生するための光ビームが照射されたＣＤディスクのように情報記録媒体の種類と光ビームの種類とが一致する場合には、図２に示すようにフェイク信号のない理想的なフォーカスエラー信号が得られる場合が多い。あるいは光ピックアップの構造によっては、図８に示すように情報記録媒体から遠い側にフォーカスエラー信号の近辺にフォーカスエラー信号の出力と逆方向にフェイク信号のあるフォーカスエラー信号が得られることもある。しかし、ＤＶＤを再生するための光ビームが照射されたＣＤディスクやＣＤを再生するための光ビームが照射されたＤＶＤディスクのように情報記録媒体の種類と光ビームの種類とが異なる場合には、前者は例えば図３に示すように、情報記録媒体から遠い側にフォーカスエラー信号の近辺にフォーカスエラー信号の出力と同方向にフェイク信号が発生し、後者は例えば図５に示すように、情報記録媒体に近い側にフォーカスエラー信号の近辺にフォーカスエラー信号の出力と同方向にフェイク信号が発生する。
【００１６】
従って、常に対物レンズを情報記録媒体から遠ざけるフォーカスサーチ中にフォーカス引き込み動作を行うシステムでは、情報記録媒体の種類が不明な時に情報記録媒体の種類と異なる種類の光ビーム光源を用いてフォーカスサーボを引き込ませようとすると、フェイク信号によりフォーカスサーボの起動を失敗するばかりではなく、前記情報記録媒体１を傷付けてしまったり、対物レンズを損傷したりすることも発生してしまう。
【００１７】
また、このような情報記録媒体の種類と光ビームの種類とが異なるちぐはぐな場合に得られるフォーカスエラー信号やその他の信号は、光ピックアップとしては本来想定外の使用方法であり、光ピックアップの出力信号の規格値がないばかりか、生産時に何らの検査さえされないことが殆どである。それゆえに、光学式情報再生装置に情報記録媒体を装着された直後にあらかじめフォーカスサーチをして、装着された情報記録媒体の種類を推定してから、それに従って使用する光ビーム光源の波長を選択して前述のちぐはぐな場合を避けようとしても、完全に情報記録媒体の種類の誤検出を避けることは不可能であり、最悪の場合にはフォーカスサーボの起動を失敗するばかりではなく、前記情報記録媒体１を傷付けてしまったり、対物レンズを損傷したりしてしまうという大きな課題がある。
【００１８】
第２に、前記フェイク信号のない理想的なフォーカスエラー信号を得られる場合でも、いったん前記光ビームの焦点を前記情報記録媒体１の情報面に近づけて前記ジャストフォーカス点を行き過ぎてから、遠ざける方向にフォーカスサーチをしてフォーカス引き込みを行うために、前記フォーカスサーボの起動に常に余分な時間がかかるという課題がある。
【００１９】
第３に、対物レンズを情報記録媒体に近づける方向にフォーカスサーチをしている時に、ジャストフォーカス点を検出しても、さらに一定時間フォーカスサーチを続行して、ジャストフォーカス点を越えて、対物レンズを情報記録媒体に近づけてから、フォーカスサーチの方向を反転するために、フォーカスサーチの速度を速くすると、対物レンズと情報記録媒体が近づき過ぎて、最悪の場合には両者が衝突してしまうという課題がある。
【００２０】
一方、両者が衝突する危険性を低減するためにフォーカスサーチ速度を遅くすると、フォーカスサーボの起動に要する時間が長くなるばかりではなく、情報記録媒体の面ぶれによる情報記録媒体の情報面の上下動にフォーカスサーチ速度が追いつけずに、フォーカス引き込みができずにフォーカスサーボが起動できなくなる可能性が増大するという課題も発生する。
【００２１】
以上のように、本発明は、情報記録媒体の種類が不明確な時に、フォーカスサーボを起動するのに使用する光ビーム光源の波長が情報記録媒体の種類と異なる場合に、フォーカスエラー信号にフェイク信号が発生しても、フォーカスサーボの起動を失敗して情報記録媒体を傷付けてしまったり対物レンズを損傷したりすることなく、安定にフォーカス引き込みを行うことを可能にすることを目的としてなされたものである。さらに、フォーカスサーチの時に、対物レンズと情報記録媒体の衝突の危険性を増やすことなく、フォーカスサーチの速度を上げて、フォーカス引き込みに要する時間を短縮することを可能にすることを目的としてなされたものである。
【課題を解決するための手段】
【００２２】
この課題を解決するために本発明の第１観点による光学式情報再生装置は、少なくとも第１と第２の２種類以上の情報記録媒体から情報を読み取るために、前記情報記録媒体の種類にそれぞれ対応した少なくとも第１と第２の２種類以上の波長の光ビーム光源と、それぞれの前記光ビーム光源から発した光ビームを集光して前記情報記録媒体に照射する対物レンズと、前記対物レンズを前記光ビームの光軸方向に駆動するフォーカスアクチュエータと、を有する光ピックアップと、前記光ビームの焦点が前記情報記録媒体の情報記録面に合致するジャストフォーカス点に位置するように、前記対物レンズの位置を制御するフォーカスサーボ手段と、前記対物レンズを前記情報記録媒体に近づける第１のフォーカスサーチ手段と、前記対物レンズを前記情報記録媒体から遠ざける第２のフォーカスサーチ手段と、前記第１のフォーカスサーチ中に、前記第１のフォーカスサーチ動作からフォーカスサーボ動作へ切り替える第１のフォーカス引き込み手段と、前記第２のフォーカスサーチ中に、前記第２のフォーカスサーチ動作からフォーカスサーボ動作へ切り替える第２のフォーカス引き込み手段と、を備え、前記第１の波長の光ビーム光源を用いてフォーカスサーボを引き込む時には、前記第２のフォーカス引き込み手段を用いてフォーカスサーボを引き込ませることを最も主要な特徴とする。
【００２３】
また本発明の光学式情報再生装置は、前記第１のフォーカスサーチから前記第２のフォーカスサーチへの切り替えは、前記第１のフォーカスサーチ中にジャストフォーカス点近傍であることを検出後、前記フォーカスアクチュエータの駆動電圧が所定の値だけ増加して、前記対物レンズが前記ジャストフォーカス点近傍より所定の距離だけ前記情報記録媒体に近づいてから、前記第２のフォーカスサーチへ切り替えることを主要な特徴とする。
【００２４】
なお、本発明の第２観点による光学式情報再生方法は、少なくとも第１と第２の２種類以上の情報記録媒体から情報を読み取るために、前記情報記録媒体の種類にそれぞれ対応した少なくとも第１と第２の２種類以上の波長のそれぞれの光ビーム光源から発した光ビームを対物レンズによって集光して前記情報記録媒体に照射し、前記対物レンズを前記光ビームの光軸方向に駆動する光ピックアップ手段と、前記光ビームの焦点が前記情報記録媒体の情報記録面に合致するジャストフォーカス点に位置するように、前記対物レンズの位置を制御するフォーカスサーボ手段と、前記対物レンズを前記情報記録媒体に近づける第１のフォーカスサーチ手段と、前記対物レンズを前記情報記録媒体から遠ざける第２のフォーカスサーチ手段と、前記第１のフォーカスサーチ中に、前記第１のフォーカスサーチ動作からフォーカスサーボ動作へ切り替える第１のフォーカス引き込み手段と、前記第２のフォーカスサーチ中に、前記第２のフォーカスサーチ動作からフォーカスサーボ動作へ切り替える第２のフォーカス引き込み手段と、を有し、前記第１の波長の光ビーム光源を用いてフォーカスサーボを引き込む時には、前記第２のフォーカス引き込み手段を用いてフォーカスサーボを引き込ませることを最も主要な特徴とする。
【発明の効果】
【００２５】
本発明の光学式情報再生装置は、再生しようとする情報記録媒体の種類が不明確な時に、フォーカスサーボを起動するのに使用する光ビーム光源の波長が情報記録媒体の種類と異なる場合に、フォーカスエラー信号にフェイク信号が発生しても、フォーカスサーボの起動を失敗して情報記録媒体を傷付けてしまったり対物レンズを損傷したりすることなく、安定にフォーカス引き込みを行うことができる。また、情報記録媒体の種類が明確な時には、それに合わせて最適なフォーカス引き込み動作を迅速に行うことを可能にするものである。さらに、フォーカスサーチの時に、対物レンズと情報記録媒体の衝突の危険性を増やすことなく、フォーカスサーチの速度を上げて、フォーカス引き込みに要する時間を短縮することを可能にすることができるという効果が得られる。
【発明を実施するための最良の形態】
【００２６】
以下本発明の実施の一形態について、第１と第２の２種類の情報記録媒体から情報を読み取るために、前記情報記録媒体の種類にそれぞれ対応した第１と第２の２種類の波長の光ビーム光源とを設けた光ピックアップを備えた光学式情報再生装置を例として、図１から図６を用いて説明する。
【００２７】
（実施の形態）
図１は本発明の実施の一形態における光学式情報再生装置のブロック構成図である。図１において、１は情報記録媒体、２は光ピックアップ、３は対物レンズ、４は第１の波長の光ビームを放射する光ビーム光源、５は第２の波長の光ビームを放射する光ビーム光源、６はフォーカスアクチュエータ、７はフォーカスエラー信号生成手段、８はジャストフォーカス点近傍検出手段、９はフォーカスサーボ手段、１０は第１のフォーカスサーチ手段、１１は第２のフォーカスサーチ手段、１２はサーチ切り替えスイッチ、１３はサーボ切り替えスイッチ、１４は第１のフォーカス引き込み手段、１５は第２のフォーカス引き込み手段、１６は制御部である。
【００２８】
以上のように構成された光学式情報再生装置について、以下その動作について説明する。まず光ピックアップ２は、対物レンズ３とフォーカスアクチュエータ６と第１の波長の光ビームを放射する光ビーム光源４と第２の波長の光ビームを放射する光ビーム光源５とを有し、対物レンズ３を通して、前記第１及び第２の波長の光ビーム光源４、５から発した光ビームを情報記録媒体１に集光して照射すると共に、その反射光を検出する。そしてフォーカスエラー信号生成手段７は、前記反射光からフォーカスエラー信号を抽出して、ジャストフォーカス点近傍検出手段８とフォーカスサーボ手段９に供給する。ジャストフォーカス点近傍検出手段８は、光ビームの焦点がジャストフォーカス点の近傍にあることをフォーカスエラー信号から検出して、ジャストフォーカス点近傍検出信号を制御部１６に出力する。前記フォーカスサーボ手段９は前記フォーカスエラー信号からフォーカスサーボ信号を発生し、サーボ切り替えスイッチ１３に供給する。第１のフォーカスサーチ手段１０は前記対物レンズ３を前記情報記録媒体１に近づけさせるフォーカスサーチ信号を発生し、第２のフォーカスサーチ手段１１は前記対物レンズ３を前記情報記録媒体１から遠ざけさせるフォーカスサーチ信号を発生する。サーチ切り替えスイッチ１２は、前記第１と第２のフォーカスサーチ手段１０、１１の信号を制御部１６の指令により切り替えて、サーボ切り替えスイッチ１３に供給する。第１のフォーカス引き込み手段１４は、前記第１のフォーカスサーチ中に、前記ジャストフォーカス点近傍検出手段の出力に応じてフォーカスサーボを引き込む時に制御部１６から出力される制御信号によってフォーカスＯＮ信号を、前記サーボ切り替えスイッチ１３に送る。第２のフォーカス引き込み手段１５は、前記第２のフォーカスサーチ中に、前記ジャストフォーカス点近傍検出手段の出力に応じてフォーカスサーボを引き込む時に制御部１６から出力される制御信号によってフォーカスＯＮ信号を、前記サーボ切り替えスイッチ１３に送る。前記サーボ切り替えスイッチ１３は、前記フォーカスＯＮ信号に従って、前記フォーカスサーチ信号と前記フォーカスサーボ信号のいずれかを選択して前記フォーカスアクチュエータ６に供給し、前記フォーカスアクチュエータ６は引加された駆動電圧に応じて前記対物レンズ３を駆動して光ビームの焦点を光軸方向に移動させる。
【００２９】
以上のように構成された光学式情報再生装置において、仮に、前記第１の波長の光ビーム光源４はＤＶＤ系の情報記録媒体を再生するための波長約６５０ナノメートルの光ビーム光源、前記第２の波長の光ビーム光源５はＣＤ系の情報記録媒体を再生するための波長約７８０ナノメートルの光ビーム光源であると仮定して、以下その動作を説明する。光学式情報再生装置に前記情報記録媒体１が装着されると、前記情報記録媒体１がＤＶＤ系のディスクであるか、ＣＤ系のディスクであるかが不明であるため、前記制御部１６はまず前記第１の波長の光ビーム光源４を点灯させる。代わりに、ここでは前記第２の波長の光ビーム光源５を点灯させてもよいが、以下の手順は第１波長の光ビーム光源４を先ず点灯させる場合と異なる。そして前記第１のフォーカスサーチ手段１０、もしくは第２のフォーカスサーチ手段１１にフォーカスサーチ信号を発生させ、前記サーチ切り替えスイッチ１２と前記サーボ切り替えスイッチ１３を介して前記フォーカスアクチュエータ６に引加していわゆるフォーカスサーチを行う。その時に得られるフォーカスエラー信号の波形は、装着された前記情報記録媒体１がＤＶＤ系のディスクであれば、使用している前記第１の波長の光ビーム光源４の波長と情報記録媒体の種類が一致しているので、図２に示すような理想的な波形のフォーカスエラー信号が得られる。この場合は、フォーカスサーチの方向に関わらず、安定にフォーカスサーボを起動することができる。
【００３０】
他方、装着された前記情報記録媒体１がＣＤ系のディスクであれば、光ビーム光源の波長と情報記録媒体の種類が食い違っているので、図３に示すようなフェイク信号が重畳した理想的でないフォーカスエラー信号になってしまう。このフェイク信号は、前記光ピックアップ２としては、ＤＶＤ再生用の波長でＣＤ系のディスクを再生しようとする、本来想定していない組み合わせで発生する信号であるために、フェイク信号とゼロクロスを含むフォーカスエラー信号の波形については何らの保証もされないのが一般的である。ただ、このフェイク信号は光ビームの波長と情報記録媒体の基材厚みの食い違いによって発生するために、前記対物レンズ３の位置がジャストフォーカス点が検出されるときの対物レンズの位置より情報記録媒体から遠い時に発生する。それでも装着された前記情報記録媒体１にはキズや汚れが付いている可能性もあるために、得られたフォーカスエラー信号から装着された前記情報記録媒体１がＤＶＤ系のディスクであるかＣＤ系のディスクであるかを完全には識別できない。従って、ＤＶＤディスクを再生するための波長約６５０ナノメートルの光ビーム光源である第１の波長の光ビーム光源４を使用しているにも関わらず、ＣＤディスクが光学式情報再生装置に入力されれば、前記フォーカス引き込み動作を行う時の前記フォーカスサーチの方向を、前記フェイク信号の出ない方向、すなわち図３に示す、前記対物レンズ３の位置が前記情報記録媒体１に近い状態から遠ざかる方向にフォーカスサーチしている時にのみ前記フォーカス引き込みを行うようにする。
【００３１】
ＤＶＤディスクを再生するための波長約６５０ナノメートルの光ビーム光源である第１の波長の光ビーム光源４を使用して、光学式情報再生装置に装着された前記情報記録媒体１がＣＤディスクである場合の前記フォーカス引き込み動作を、図４を用いて説明する。図４において、光ビームの焦点位置は前記フォーカスアクチュエータ６のフォーカスサーチ動作に応じて時間と共に光軸方向に上下する。その時検出される前記フォーカスエラー信号は図４に示す通りである。まず、前記第２のフォーカスサーチ手段１１を用いて前記対物レンズ３を前記情報記録媒体１から遠ざけて、前記光ビームの焦点をジャストフォーカス点より前記情報記録媒体１の情報面から遠くに遠ざける。次に、前記第１のフォーカスサーチ手段１０を用いて前記フォーカスサーチの方向を反転し、前記光ビームの焦点が前記情報記録媒体１の情報面に近づく方向に駆動する。前記光ビームの焦点が前記情報記録媒体１の情報面に接近して来ると、前記ジャストフォーカス点近傍検出手段８がジャストフォーカス点近傍検出信号を出力する。しかしこの前記ジャストフォーカス点近傍検出信号は、装着された前記情報記録媒体１がＣＤディスクである場合は前記フェイク信号によって出力されるために、フォーカス引き込みを行わないように前記第１のフォーカス引き込み手段１４は働かさない。そしてさらに、所定の電圧（ΔＶ）だけ前記フォーカスサーチ信号が変化するまで、すなわち、前記所定の電圧（ΔＶ）に応じた所定の距離だけ前記対物レンズ３が前記情報記録媒体１に近づいて、それに応じて前記光ビームの焦点が情報面を経て移動するまで前記第１のフォーカスサーチを続ける。その後前記サーチ切り替えスイッチ１２を切り替えて、フォーカスサーチ信号を前記第１のフォーカスサーチ手段１０から前記第２のフォーカスサーチ手段１１に切り替え、前記対物レンズ３が前記情報記録媒体１から遠ざかり、それに応じて前記光ビームの焦点が前記情報記録媒体１から遠ざかる方向に駆動する。この時、前記第２のフォーカスサーチ中に前記第２のフォーカス引き込み手段１５を働かせておくことにより、ジャストフォーカス点近傍検出手段の出力に応じて制御部１６から出力される制御信号によってフォーカスＯＮ信号を、前記サーボ切り替えスイッチ１３に送って、フォーカスサーボを引き込む。これにより、ＤＶＤディスクを再生するための波長約６５０ナノメートルの光ビーム光源である第１の波長の光ビーム光源４を使用しているにも関わらず、光学式情報再生装置に装着された前記情報記録媒体１がＣＤディスクであるために図３に示すようなフェイク信号が発生する場合にも、安定にフォーカス引き込みを行うことができる。
【００３２】
反面、ＤＶＤディスクが光学式情報再生装置に装着されていれば、前述のように図２に示すようなフェイク信号のない理想的なフォーカスエラー信号が得られるので、この方法で安定にフォーカス引き込みを行うことができる。このように、前記第１の波長の光ビーム光源４を使用している時は、前記第２のフォーカスサーチ中に得られる前記フォーカスエラー信号は、前記装着された情報記録媒体１がＣＤディスクであってもＤＶＤディスクであっても、前記光ビームの焦点が前記ジャストフォーカス点に近づく直前にはフェイク信号が発生しないので、前記情報記録媒体１の種類に関わらず、安定に前記フォーカス引き込みを行うことができる。
【００３３】
前記所定の電圧（ΔＶ）は、前記第１のフォーカスサーチ中に、前記光ビームの焦点位置が前記情報記録媒体１の情報面に近づいて通り過ぎる距離に相当する電圧に設定する。すなわち、フォーカスサーチ中に前記対物レンズ３が前記情報記録媒体１に衝突することがないように設定すればよい。このように、前述した通り過ぎる距離を、それに相当する電圧の値で設定することにより、前記フォーカスサーチの速度に関わらず、あるいは速度を変化させても、前記対物レンズ３が前記情報記録媒体１に衝突する危険性を増すことなく、安定に前記フォーカスサーチの方向を反転させることができる。次に、ＣＤディスクを再生するための波長約７８０ナノメートルの光ビーム光源である第２の波長の光ビーム光源５を使用しているにも関わらず、光学式情報再生装置に装着された前記情報記録媒体１がＤＶＤディスクである場合には、図５に示すようなフェイク信号が重畳した理想的でないフォーカスエラー信号になってしまう。このフェイク信号は、前述したのと同様に、何らの保証もされないのが一般的である。また同様に、このフェイク信号は光ビームの波長と情報記録媒体の基材厚みの食い違いによって発生するために、前記対物レンズ３の位置がジャストフォーカス点に対応する対物レンズの位置より情報記録媒体に近い時に発生することになる。従って、ＣＤディスクを再生するための波長約７８０ナノメートルの光ビーム光源である第２の波長の光ビーム光源５を使用しているにも関わらず、光学式情報再生装置に装着された前記情報記録媒体１がＤＶＤディスクである可能性がある間は、前記フォーカス引き込み動作を行う時の前記フォーカスサーチの方向を、前記フェイク信号の出ない方向、すなわち図５に示す、前記対物レンズ３の位置が前記情報記録媒体１に遠い状態から近づく方向にフォーカスサーチしている時にのみ前記フォーカス引き込みを行うようにする。
【００３４】
図６を用いて、このフォーカス引き込み動作を説明する。図６において、光ビームの焦点位置は前記フォーカスアクチュエータ６のフォーカスサーチ動作に応じて光軸方向に上下する。その時検出される前記フォーカスエラー信号は図６に示す通りである。まず、前記第２のフォーカスサーチ手段１１を用いて対物レンズ３を前記情報記録媒体１から遠ざけて、前記光ビームの焦点をジャストフォーカス点より前記情報記録媒体１の情報面から遠くに遠ざける。次に、前記第１のフォーカスサーチ手段１０を用いて前記フォーカスサーチの方向を反転し、前記光ビームの焦点が前記情報記録媒体１の情報面に近づく方向に駆動する。前記光ビームの焦点が前記情報記録媒体１の情報面の近傍に来るとフォーカスエラー信号が変動して、前記ジャストフォーカス点近傍検出手段８がジャストフォーカス点近傍検出信号を出力する。ＣＤディスクを再生するための波長約７８０ナノメートルの光ビーム光源である前記第２の波長の光ビーム光源５を使用している時は、前記情報記録媒体１がＤＶＤディスクであってもＣＤディスクであっても、前記第１のフォーカスサーチ中に得られる前記フォーカスエラー信号は、前記光ビームの焦点が前記ジャストフォーカス点に近づく直前にはフェイク信号が発生しないので、この時得られる前記ジャストフォーカス点近傍検出信号でフォーカス引き込みを行えば安定にフォーカス引き込みを行うことができる。
【００３５】
以上のように本実施形態によれば、情報を読み取ろうとする情報記録媒体の種類に関わらず、前記第１の波長の光ビーム光源を用いてフォーカスサーボを引き込む時には、必ず前記第２のフォーカス引き込み手段を用いてフォーカスサーボを引き込ませることによって、フェイク信号をフォーカスエラー信号と誤検出することがなくなり、フォーカス引き込みを常に安定に行うことができるようになるので、フォーカスサーボの起動を失敗して、発生する様々な従来の課題を解決することができる。
【００３６】
また、情報を読み取ろうとする情報記録媒体の種類に関わらず、前記第２の波長の光ビーム光源を用いてフォーカスサーボを引き込む時には、必ず前記第１のフォーカス引き込み手段を用いてフォーカスサーボを引き込ませることによって、同様に従来の課題を解決することができる。
【００３７】
さらに、装着された前記情報記録媒体１の種類が明確になった後は、その種類に合わせて前記第１の波長の光ビーム光源４か前記第２の波長の光ビーム光源５を選択すれば、前述したようにフェイク信号のないフォーカスエラー信号が得られるので、前記第１のフォーカスサーチ中に前記第１のフォーカス引き込み手段を働かせてフォーカス引き込みを行うようにする。そうすれば、前記フォーカスサーボの起動に常に余分な時間がかかるという課題が解決できる。
【００３８】
さらに、本発明によると、対物レンズと情報記録媒体が衝突してしまうという従来の技術の課題も解決できる。
【００３９】
なお、本実施形態はあくまで本願発明を説明するための一例であり、この実施例によって本願発明が限定されるものでないことはいうまでもない。第１の種類の情報記録媒体をＤＶＤディスク、第２の種類の情報記録媒体をＣＤディスクとしたが、その逆であっても本願発明は有効である。第１と第２の波長の光ビーム光源についても同様である。また、他の種類の情報記録媒体にも応用できるものであり、使用する光ピックアップの特性に応じて実施形態を変えて適応することが可能である。
【００４０】
前述のジャストフォーカス点近傍検出手段は、前記フォーカスエラー信号の変化に応じて前記光ビームの焦点がジャストフォーカス点の近傍にあることを検出する手段であるが、前記フォーカスエラー信号が基準点を横切って変動することを検出する、フォーカスゼロクロス検出手段でも構わない。あるいは、前記光ピックアップから出力される反射光量の変化でジャストフォーカス点近傍検出をすることも可能である。
【００４１】
また、前記装着された前記情報記録媒体１の種類が明確になった後は、その種類に合わせて前記第１の波長の光ビーム光源４か前記第１の波長の光ビーム光源５を選択すれば、前述したようにフェイク信号のないフォーカスエラー信号が得られるので、前記第１のフォーカスサーチ中に前記第１のフォーカス引き込み手段を働かせたり、前記第２のフォーカスサーチ中に前記第２のフォーカス引き込み手段を働かせたりしてフォーカス引き込みを行ってもよい。この方法は例えば、前記情報記録媒体１の種類がＤＶＤ系のディスクであり、複数の情報面を有するディスクである時に、どちらかの情報面に選択的にフォーカスサーボを引き込ませる時などに特に有効である。またここでは光ディスクの場合を例に説明したが、光磁気ディスクや、透過式の光学式情報再生装置にも同様に適用することができる。
【産業上の利用可能性】
【００４２】
以上のように、本発明にかかる光学式情報再生装置は、情報を読み取ろうとする情報記録媒体の種類が不明確であっても、フォーカスサーボの起動を失敗して情報記録媒体を傷付けてしまったり対物レンズを損傷したりすることなく、安定にフォーカス引き込みを行なうことができるので、コンパクトディスク（ＣＤ）や、デジタルバーサタイルディスク（ＤＶＤ）、ブルーレイディスク（ＢＤ）に加えて、さらに情報記録媒体が多種多様化していくであろう将来において、各種の情報記録媒体を１台の装置で再生する機能を要求される光学式情報再生装置には、大きな効果をもたらすものである。
【図面の簡単な説明】
【００４３】
【図１】本発明の一実施の形態による光学式情報再生装置のブロック構成図
【図２】第１の波長の光ビーム光源４で第１の種類の情報記録媒体をかけた時に得られるフォーカスエラー信号波形（理想的なフェイク信号のないフォーカスエラー信号波形）図
【図３】第１の波長の光ビーム光源４で第２の種類の情報記録媒体をかけた時に得られるフォーカスエラー信号波形図
【図４】本発明の一実施形態によるフォーカス引き込み方法の説明図
【図５】第２の波長の光ビーム光源５で第１の種類の情報記録媒体をかけた時に得られるフォーカスエラー信号波形図
【図６】本発明の一実施形態によるフォーカス引き込み方法の説明図
【図７】従来の光学式情報再生装置のブロック構成図
【図８】従来のフェイク信号のあるフォーカスエラー信号波形図
【図９】従来のフォーカス引き込み方法の説明図
【符号の説明】
【００４４】
１    情報記録媒体
２    光ピックアップ
３    対物レンズ
４    第１の波長の光ビーム光源
５    第２の波長の光ビーム光源
６    フォーカスアクチュエータ
７    フォーカスエラー信号生成手段
８    ジャストフォーカス点近傍検出手段
９    フォーカスサーボ手段
１０    第１のフォーカスサーチ手段
１１    第２のフォーカスサーチ手段
１２    サーチ切り替えスイッチ
１３    サーボ切り替えスイッチ
１４    第１のフォーカス引き込み手段
１５    第２のフォーカス引き込み手段
１６    制御部
１７    光ビーム光源
１８    フォーカスサーチ手段
１９    サーボ切り替えスイッチ
２０    フォーカス引き込み手段
２１    フォーカスゼロクロス検出手段
【図１】
2005166242.tif 000003
【図２】
2005166242.tif 000004
【図３】
2005166242.tif 000005
【図４】
2005166242.tif 000006
【図５】
2005166242.tif 000007
【図６】
2005166242.tif 000008
【図７】
2005166242.tif 000009
【図８】
2005166242.tif 000010
【図９】
2005166242.tif 000011